(57)【要約】【課題】キーの機能に応じてオートリピート機能をより効果的に利用することを目的とする。【解決手段】ノートＰＣ１は、タッチパッドとして機能するタッチパッドモードと、数字入力を行うためのテンキーとして機能するテンキーモードとを有するタッチパッド６と、所定の入力操作がされた場合に、タッチパッドモードとテンキーモードとを切り替えるモード切替部３１と、テンキーモードの場合に、キーが押し続けられたときに連続的なキー入力として受け付けるオートリピート機能をオフにする機能設定部３２とを備えている。【選択図】図５
2020140228.tif 000002
【特許請求の範囲】
【請求項１】
タッチパッドとして機能するタッチパッドモードと、数字入力を行うためのテンキーとして機能するテンキーモードとを有するタッチパッドと、
所定の入力操作がされた場合に、前記タッチパッドモードと前記テンキーモードとを切り替えるモード切替部と、
前記テンキーモードの場合に、キーが押し続けられたときに連続的なキー入力として受け付けるオートリピート機能をオフにする機能設定部と
を具備する情報処理装置。
【請求項２】
前記タッチパッドは、前記テンキーとは異なるファンクションキーとして機能するファンクションキーモードを更に有し、
前記モード切替部は、前記タッチパッドにおいて所定の入力操作がされた場合に、前記テンキーモードと前記ファンクションキーモードとを切り替え、
前記機能設定部は、前記ファンクションキーモードの場合に、前記オートリピート機能をオンにする請求項１に記載の情報処理装置。
【請求項３】
前記タッチパッドの下方に設けられたバックライトと、
前記テンキーモードおよび前記ファンクションキーモードの場合に、前記バックライトをオンさせるバックライト制御部と
を備え、
前記バックライトがオンされることにより、前記テンキーモード及び前記ファンクションキーモードにおける各キー及び各キーの機能が視認可能に表示される請求項２に記載の情報処理装置。
【請求項４】
前記タッチパッドには、前記テンキーモードと前記ファンクションキーモードとを切り替えるための所定のキーが設けられており、
前記キーの操作状態に応じて、前記モード切替部は前記テンキーモード及び前記ファンクションキーモードのいずれか一方を設定する請求項２または３に記載の情報処理装置。
【請求項５】
前記タッチパッドは、操作面への接触圧力を検出する圧力検出部を備え、
前記機能設定部は、前記圧力検出部による検出圧力に応じて、前記オートリピート機能のキー入力速度を変更する請求項２から４のいずれかに記載の情報処理装置。
【請求項６】
前記機能設定部は、前記圧力検出部による検出圧力が大きいほど、キー入力速度を速くする請求項５に記載の情報処理装置。
【請求項７】
タッチパッドとして機能するタッチパッドモードと、数字入力を行うためのテンキーモードとを有するタッチパッドを備える情報処理装置の入力制御方法であって、
所定の入力操作がされた場合に、前記タッチパッドモードと前記テンキーモードとを切り替える工程と、
前記テンキーモードの場合に、キーが押し続けられたときに連続的なキー入力として受け付けるオートリピート機能をオフにする工程と
をコンピュータが実行する情報処理装置の入力制御方法。
【請求項８】
タッチパッドとして機能するタッチパッドモードと、数字入力を行うためのテンキーモードとを有するタッチパッドを備える情報処理装置に適用されるプログラムであって、
所定の入力操作がされた場合に、前記タッチパッドモードと前記テンキーモードとを切り替える処理と、
前記テンキーモードの場合に、キーが押し続けられたときに連続的なキー入力として受け付けるオートリピート機能をオフにする処理と
をコンピュータに実行させるためのプログラム。
【発明の詳細な説明】
【技術分野】
【０００１】
本発明は、情報処理装置及びその入力制御方法並びにプログラムに関するものである。
【背景技術】
【０００２】
従来、ノートＰＣ、デスクトップ型ＰＣ等の情報処理装置では、同じキーが押し続けられた場合に、連続的なキー入力として受け付けるオートリピート機能がサポートされている。このオートリピート機能は、例えば、キーリピート機能、タイプマティック入力ともいわれ、（１）キーが押されてから連続的なキー入力を開始するまでの時間、及び（２）連続的なキー入力が開始された場合におけるキー入力速度、換言すると、単位時間に発生させるキーの入力回数を調整できる設定とされている。
【発明の概要】
【発明が解決しようとする課題】
【０００３】
例えば、文字入力や数字入力に関しては、同じ文字や数字を連続して入力する必要性は低い。したがって、このようなキー入力に関しては、オートリピート機能はそれほど有効に作用しない。その一方で、削除キー、スペースキー、ページアップ、ページダウン、カーソルキー等のキーについては、連続した入力が好ましい場合もあり、オートリピート機能が効果的に作用する。
しかしながら、従来のオートリピート機能は、キー全体に反映されるため、柔軟な設定を行うことができなかった。
【０００４】
本発明は、このような事情に鑑みてなされたものであって、キーの機能に応じてオートリピート機能をより効果的に利用することのできる情報処理装置及びその入力制御方法並びにプログラムを提供することを目的とする。
【課題を解決するための手段】
【０００５】
本発明の第一態様は、タッチパッドとして機能するタッチパッドモードと、数字入力を行うためのテンキーとして機能するテンキーモードとを有するタッチパッドと、所定の入力操作がされた場合に、前記タッチパッドモードと前記テンキーモードとを切り替えるモード切替部と、前記テンキーモードの場合に、キーが押し続けられたときに連続的なキー入力として受け付けるオートリピート機能をオフにする機能設定部とを具備する情報処理装置である。
【０００６】
本発明の第二態様は、タッチパッドとして機能するタッチパッドモードと、数字入力を行うためのテンキーモードとを有するタッチパッドを備える情報処理装置の入力制御方法であって、所定の入力操作がされた場合に、前記タッチパッドモードと前記テンキーモードとを切り替える工程と、前記テンキーモードの場合に、キーが押し続けられたときに連続的なキー入力として受け付けるオートリピート機能をオフにする工程とをコンピュータが実行する情報処理装置の入力制御方法である。
【０００７】
本発明の第三態様は、タッチパッドとして機能するタッチパッドモードと、数字入力を行うためのテンキーモードとを有するタッチパッドを備える情報処理装置に適用される入力制御プログラムであって、所定の入力操作がされた場合に、前記タッチパッドモードと前記テンキーモードとを切り替える処理と、前記テンキーモードの場合に、キーが押し続けられたときに連続的なキー入力として受け付けるオートリピート機能をオフにする処理とをコンピュータに実行させるための入力制御プログラムである。
【発明の効果】
【０００８】
本発明によれば、キーの機能に応じてオートリピート機能をより効果的に利用することができるという効果を奏する。
【図面の簡単な説明】
【０００９】
【図１】本発明の一実施形態に係るノートＰＣの概略外観図である。
【図２】本発明の一実施形態に係るノートＰＣにおいて、テンキーモードまたはファンクションキーモードのときにタッチパッドに表示されるキー構成及びキー配列の一例を示した図である。
【図３】本発明の一実施形態に係るノートＰＣにおいて、タッチパッドモードのときのタッチパッドの構成例を示した図である。
【図４】本発明の一実施形態に係るノートＰＣのハードウェア構成を概略的に示した図である。
【図５】本発明の一実施形態に係るノートＰＣが備える入力制御機能の一部を模式的に示した機能構成図である。
【図６】本発明の一実施形態に係るノートＰＣのタッチパッドにおける各モードの状態遷移図を示した図である。
【発明を実施するための形態】
【００１０】
以下に、本発明の一実施形態に係る情報処理装置及びその入力制御方法並びにプログラムについて、図面を参照して説明する。以下の実施形態においては、情報処理装置としてノートＰＣを例示して説明するが、本発明の情報処理装置はこの例に限定されない。例えば、情報処理装置は、デスクトップ型ＰＣ、スマートフォン等の携帯電話機、タブレット端末等であってもよい。
【００１１】
図１は、本発明の一実施形態に係るノートＰＣ１の概略外観図である。図１に示すように、ノートＰＣ１は、いずれも略直方体である第１筐体２及び第２筐体３を備える、いわゆるクラムシェル型のパーソナルコンピュータである。第１筐体２及び第２筐体３は、例えば、それぞれの端部またはその近傍において連結部９ａによって連結されている。連結部９ａは、例えば、ヒンジであり、第１筐体２及び第２筐体３を開閉可能に支持している。
【００１２】
第１筐体２には、第２筐体３の端部側に沿ってサブディスプレイ１０が設けられている。サブディスプレイ１０は、例えば、連結部９ｂによって第１筐体２に連結されている。連結部９ｂは、例えば、ヒンジである。サブディスプレイ１０は、閉じた状態で第１筐体２の上面に設けられた収容部１１に収容可能とされ、開いた状態で収容部１１の収容面とサブディスプレイ１０の裏面（表示画面が設けられていない方の面）とのなす角度θが、例えば、２°≦θ２≦４０°の範囲となるように構成されている。
【００１３】
サブディスプレイ１０は、例えば、第１筐体２に対して第２筐体３が開いているときに、第１筐体２に対して開くように構成されている。サブディスプレイ１０は、手動で連結部９ｂ回りに回動するように構成されていてもよい。この場合、連結部９ｂとしては、所定の角度でサブディスプレイ１０を保持できるトルクヒンジなどを好適に用いることができる。また、バネなどの付勢部材を用いてサブディスプレイ１０を上方付勢状態としてもよい。この場合、第２筐体３が閉じられるときに、第２筐体３がサブディスプレイ１０を下方に押圧して収容部１１に収容させることができ、第２筐体３が開かれたときに、第２筐体３に連動して、自動的にサブディスプレイ１０を立ち上げることができる。
【００１４】
第１筐体２には、入力装置４が設けられている。入力装置４は、ユーザが入力操作を行うためのユーザインターフェースである。図１には、入力装置４の一例として、文字、コマンド等を入力する各種キーより構成されるキーボード５及びタッチパッド６が示されている。また、入力装置４は、マウス、トラックポイント、タッチペン等を備えていてもよい。
【００１５】
キーボード５は、第１筐体２の上面において、サブディスプレイ１０を介して第２筐体３とは反対側に設けられている。例えば、キーボード５は、第１筐体２の上面においてほぼ中央部に設けられている。キーボード５は、ソフトウェアキーボードでもよいし、物理キーで構成されていてもよい。
【００１６】
タッチパッド６は、第１筐体２の上面において側部に設けられている。図１では、タッチパッド６は、第１筐体２の上面においてキーボード５の右側に設けられているが、この例に限定されず、キーボード５の左側に設けられていてもよい。
【００１７】
タッチパッド６は、例えば、３Ｄタッチ（スリーディータッチ）を実現するタッチパッド６とされている。例えば、タッチパッド６は、静電容量式、抵抗膜式、又は電磁誘導式のタッチセンサを備え、操作面における入力操作を検知するような構成とされている。さらに、タッチパッド６は、操作面の下面に感圧センサ（圧力検出部）を備えており、感圧センサにより接触面に対する接触圧力が検出可能とされている。圧力を検出する具体的構成は感圧センサに限定されず、他のセンサにより接触面における指等の指示体の接触圧力を検出することとしてもよい。
【００１８】
タッチパッド６は、カーソル操作やクリック操作等を入力するためのタッチパッドとして機能するタッチパッドモードと、数字入力を行うためのテンキーとして機能するテンキーモードと、テンキーとは異なるファンクションキーとして機能するファンクションキーモードとを有している。
【００１９】
タッチパッド６の下方には、バックライトが設けられている。テンキーモードおよびファンクションキーモードのときには、バックライトが点灯することにより、テンキーやファンクションキーが視認可能に表示され、ユーザによる各キーへの接触が検知されることにより、そのキーに応じた入力信号が出力されることとなる。
【００２０】
図２はテンキーモード及びファンクションキーモードにおけるタッチパッド６の表示例を示した図である。なお、図２に示されるテンキーモード及びファンクションキーモードにおけるキー配列やキー構成は一例であり、この例に限定されない。図２に示すように、一部のキーについては、数字キーの機能及びファンクションキーの機能の両方が割り当てられている。テンキーモードの場合には、各キーは、図２において上段に表示されているキーとして機能する。
例えば、テンキーモードでは、タッチパッド６は、０から９までの数字キー、プラスやマイナス等の各種演算記号キー、エンターキー、ナムロックキー１４等を備えるキーパッドとして機能する。
【００２１】
一方、ファンクションキーモードの場合には、各キーは下段に表示されているキーとして機能する。例えば、ファンクションキーモードでは、タッチパッド６は、ホームキー、ページアップキー、ページダウンキー、上下左右のカーソルキー、エンドキー、インサートキー、デリートキー、ナムロックキー１４等を備えるキーパッドとして機能する。
図３は、タッチパッドモードのときのタッチパッド６の構成例を示した図である。
【００２２】
上記各モードの切り替えは、例えば、モード切替を指示する所定の入力操作が行われることにより切り替えられる。例えば、図２及び図３に示すように、タッチパッド６の一部であって、キーが表示されない領域には、モード切替用のモード切替ボタン１２が設けられている。このモード切替ボタン１２が操作されることにより、タッチパッドモードとテンキーモードまたはファンクションキーモードとが切り替えられる構成とされている。
【００２３】
また、例えば、テンキーモードとファンクションキーモードとの切り替えについては、例えば、タッチパッド６上に表示されている所定のキーが操作されることによって、切り替えられる構成とされている。例えば、一例として、ナムロックキー１４が操作されることによって、テンキーモードとファンクションキーモードとが切り替えられることとしてもよい。
【００２４】
例えば、ナムロックキー１４が有効化されている場合には、テンキーモードとされ、ナムロックキー１４が無効化されている場合に、ファンクションキーモードとされる。なお、本実施形態においては、ナムロックキー１４は、ナムロックキー１４が再び操作されるまで、現在の状態を保持する構成とされている。例えば、ナムロックキー１４が操作されることによってナムロックキー１４が有効化された場合、再びナムロックキー１４が操作されるまでは有効化の状態が維持されることとなる。
【００２５】
なお、上述したモードの切り替え方法は一例であり、上記例に限定されない。また、ナムロックキー１４の有効化／無効化の切り替えについても上記例に限定されない。例えば、タッチパッドモードに切り替えられた場合やノートＰＣ１がシャットダウンした場合には、無効化及び有効化のいずれか一方の状態にリセットされることとしてもよい。また、この場合、デフォルトの状態をユーザが設定できるような構成とされていてもよい。
【００２６】
第２筐体３には、画像を表示するメインディスプレイ８が設けられている。メインディスプレイ８は、第２筐体３が第１筐体２に対して閉じられた状態で、サブディスプレイ１０と対向する面上に配置されている。
【００２７】
図４は、本実施形態に係るノートＰＣ１のハードウェア構成を概略的に示した図である。ノートＰＣ１は、ＣＰＵ（Central  Processing  Unit）２０、ＲＯＭ（Read  Only  Memory）２１、メモリ２２、フラッシュメモリ２３、グラフィクスアダプタ２４、メインディスプレイ８、サブディスプレイ１０、通信デバイス２５、電源回路２６、入力装置４を備えている。これら各部は、バス２８を介して接続されている。
【００２８】
ＣＰＵ２０は、バス２８を介して接続されたフラッシュメモリ２３に格納されたＯＳ（Operating  System）によりノートＰＣ１全体の制御を行うとともに、フラッシュメモリ２３に格納された各種のプログラムに基づいて処理を実行する。
【００２９】
ＲＯＭ２１は、ＢＩＯＳ（Basic  Input/Output  System：基本入出力システム）や各種データ等を格納している。
メモリ２２は、キャッシュメモリやＲＡＭ（Random  Access  Memory）で構成されている。メモリ２２は、ＣＰＵ２０の実行プログラムの読み込み、及び実行プログラムによる処理データの書き込みを行う作業領域として利用される書き込み可能なメモリである。
【００３０】
フラッシュメモリ２３は、ノートＰＣ１の全体の制御を行うためのマルチウィンドウのＯＳ、周辺機器類をハードウェア操作するための各種ドライバ、ユーティリティプログラム、各種アプリケーションプログラム等を記憶する。なお、ノートＰＣ１は、フラッシュメモリ２３に替わる記憶手段としてＨＤＤ（Hard  Disk  Drive）等、他の記憶手段を備えてもよい。
【００３１】
グラフィクスアダプタ２４は、ＣＰＵ２０の制御に従って、表示情報をビデオ信号に変換し、変換したビデオ信号をメインディスプレイ８やサブディスプレイ１０に出力する。
【００３２】
メインディスプレイ８は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。また、メインディスプレイ８は、タッチセンサ等の入力検知機能を備えたタッチパネルとして構成されていてもよい。
【００３３】
サブディスプレイ１０は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。また、サブディスプレイ１０は、タッチセンサ等の入力検知機能を備えたタッチパネルとして構成されていてもよい。さらに、サブディスプレイ１０は、タッチペンによる入力を受け付け可能な構成とされていてもよい。
【００３４】
通信デバイス２５は、他のデバイスとの間との通信を行う。
電源回路２６は、ＡＣアダプタ、電池、電池を充電するための充電器、及びＤＣ／ＤＣコンバータ等を備えており、ＣＰＵ２０の制御に従って、各構成に電力を供給する。
入力装置４を構成するキーボード５やタッチパッド６におけるユーザの入力操作に応じた入力信号は、バス２８を介してＣＰＵ２０に出力される。
図４に示したノートＰＣ１の構成や接続例は一例であり、この例に限定されない。
【００３５】
図５は、本実施形態に係るノートＰＣ１が備える入力制御機能を模式的に示した機能構成図である。以下に説明する各種機能を実現するための処理は、プログラムの形式でコンピュータ読み取り可能な記録媒体に記憶されており、このプログラムをＣＰＵ２０等がＲＡＭに読み出して実行することにより、各種機能が実現される。なお、プログラムは、ＲＯＭやフラッシュメモリ２３等の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００３６】
図５に示すように、本実施形態に係るノートＰＣ１は、モード切替部３１、機能設定部３２、バックライト制御部３３を備えている。また、ノートＰＣ１において、タッチパッド６は、モード切替ボタン１２、ナムロックキー１４、感圧センサ１６、及びバックライト１８を備えている。
【００３７】
モード切替部３１は、モード切替ボタン１２及びナムロックキー１４からの入力信号に応じてモードを切り替える。具体的には、モード切替ボタン１２の入力操作を受け付けた場合には、モード切替部３１は、タッチパッドモードとテンキーモードとを切り替える。また、モード切替部３１は、ナムロックキー１４が有効化されている場合には、テンキーモードを設定し、ナムロックキー１４が無効化されている場合にはファンクションキーモードを設定する。
【００３８】
機能設定部３２は、モード切替部３１によってテンキーモードが設定されている場合に、オートリピート機能をオフに設定する。ここで、オートリピート機能とは、キーが押し続けられたときに連続的なキー入力として受け付ける機能である。このオートリピート機能がオフに設定されることで、例えば、テンキーモードにおいては、各キーが押し続けられた場合でも、そのキーの操作による入力は１回に留められる。
【００３９】
一方、機能設定部３２は、モード切替部３１によってファンクションキーモードが設定されている場合には、オートリピート機能をオンに設定する。これにより、ファンクションキーモードにおいて各キーが押し続けられた場合には、そのキーの入力を連続的に受け付けることとなる。また、機能設定部３２は、オートリピート機能がオンの場合においては、感圧センサ１６から入力される接触圧力に基づいてキー入力速度を変更する。例えば、機能設定部３２は、感圧センサ１６から入力される接触圧力の値が大きいほど、キー入力速度を速く設定する、換言すると、単位時間当たりのキー入力数を多く設定する。これにより、ユーザがキーを強く押し込むほど、キー入力の速度が速くなる。
【００４０】
キー入力速度は、接触圧力に応じて関数的に変更されてもよいし、段階的に変更されてもよい。例えば、接触圧力とキー入力速度とが関連付けられたテーブルが登録されており、このテーブルを用いて接触圧力に対するキー入力速度を決定してもよい。また、例えば、接触圧力を変数としてキー入力速度を得る関数を予め登録しておき、この関数に接触圧力を入力することにより、キー入力速度を得ることとしてもよい。
【００４１】
バックライト制御部３３は、モード切替部３１によってテンキーモードまたはファンクションキーモードが設定されている場合に、バックライトをオンとする。これにより、タッチパッド６には、図２に示すように、各キーの配置及び各キーに割り当てられた機能が視認可能に表示される。
【００４２】
次に、本実施形態に係るノートＰＣ１によって実行される入力制御処理について説明する。以下の説明においては、初期モードとしてタッチパッドモードが設定されている場合について説明するが、この例に限定されず、他のモードが初期モードとして設定されていてもよい。また、初期モードをユーザが選択できる構成とされていてもよい。
【００４３】
以下、ノートＰＣ１によって実行される入力制御処理について説明する。
タッチパッドモードにおいて、モード切替ボタン１２が操作されると、モード切替部３１は、ナムロックキー１４の状態に応じてテンキーモードまたはファンクションキーモードに切り替える。具体的には、ナムロックキー１４が有効化されている場合にはテンキーモードに切り替え、ナムロックキー１４が無効化されている場合にはファンクションキーモードに切り替える。また、このようにしてモード切替が行われると、モード切替部３１から機能設定部３２及びバックライト制御部３３に切替後のモード情報が出力される。
【００４４】
機能設定部３２は、モード切替部３１からモード切替後のモードが通知されると、そのモードに応じてオートリピート機能のオンオフを設定する。具体的には、テンキーモードに切り替えられた旨の入力を受け付けた場合には、オートリピート機能をオフに設定する。これにより、タッチパッド６上に表示されている各キーが押し続けられたとしても、その入力操作による入力は１回に留められる。
【００４５】
一方、ファンクションキーモードに切り替えられた旨の入力を受け付けた場合には、オートリピート機能をオンに設定する。これにより、各キーが押し続けられた場合には、そのキーの入力を連続的に受け付けることとなる。また、機能設定部３２は、オートリピート機能がオンの場合においては、感圧センサ１６から入力される接触圧力に基づいてキー入力速度を変更する。これにより、各キーが連続的に操作された場合には、その操作圧力に応じた速さでキー入力が連続的に受け付けられることとなる。
【００４６】
バックライト制御部３３は、テンキーモードまたはファンクションキーモードに切り替えられた旨の入力を受け付けた場合には、バックライト１８をオンさせる。これにより、タッチパッド６には、図２に示すようなテンキーモードやファンクションキーモードにおける各キー及び各キーの機能が表示される。
【００４７】
また、モード切替部３１は、テンキーモードまたはファンクションキーモードにおいて、ナムロックキー１４が操作された場合には、その有効化／無効化に応じて、テンキーモードからファンクションキーモードに、あるいは、ファンクションキーモードからテンキーモードに切り替える。各切替が行われた場合の機能設定部３２及びバックライト制御部３３において行われる処理は上述した通りである。
【００４８】
また、モード切替部３１は、テンキーモードまたはファンクションキーモードにおいて、モード切替ボタン１２が操作された場合には、現在のモードをタッチパッドモードに切り替える。そして、モード切替部３１は、切替後のモード情報を機能設定部３２及びバックライト制御部３３に出力する。
【００４９】
機能設定部３２は、モード切替部３１からタッチパッドモードに切り替えられた旨の入力を受け付けた場合には、オートリピート機能をオフに設定する。
また、バックライト制御部３３は、モード切替部３１からタッチパッドモードに切り替えられた旨の入力を受け付けた場合には、バックライト１８をオフにする。
【００５０】
図６に、タッチパッド６における各モードの状態遷移図を示す。図６に示すように、タッチパッドモードでは、オートリピート機能がオフに設定されるとともに、バックライト１８がオフに制御される。テンキーモードでは、オートリピート機能がオフに設定されるとともに、バックライト１８がオンに制御される。また、ファンクションキーモードでは、オートリピート機能がオンに設定されるとともに、バックライトがオンに制御される。
【００５１】
また、タッチパッドモードとテンキーモードとの切り替えは、例えば、モード切替ボタン１２の操作によって行われ、同様に、タッチパッドモードとファンクションキーモードとの切り替えも、例えば、モード切替ボタン１２の操作によって行われる。また、テンキーモードとファンクションキーモードとの切り替えは、例えば、ナムロックキー１４の操作によって切り替えられ、ナムロックキー１４が有効化されている場合にはテンキーモードが設定され、ナムロックキー１４が無効化されている場合にはファンクションキーモードが設定される。
【００５２】
以上、説明してきたように、本実施形態に係るノートＰＣ１及び入力制御方法並びにプログラムによれば、テンキーモードの場合にはオートリピート機能をオフに設定するので、キーが押し続けられたとしても連続的なキー入力が行われずに、当該キーに対応する入力を１回に留めることができる。これにより、何度も同じ数字が繰り返し入力されるという入力ミスを抑制することができる。
【００５３】
また、ファンクションキーモードに切り替えられた場合には、オートリピート機能がオンに設定されるので、各キーが押し続けられることでそのキー入力が連続的に受け付けられることとなる。例えば、ファンクションキーモードは、連続的な入力操作が好ましいキーを多く含んでいるので、オートリピート機能をオン設定することで、オートリピート機能を有効に使用することができる。
このように、モードに応じてオートリピート機能のオンオフが切り替えられるので、各モードが備えるキーの機能に応じてオートリピート機能をより有効に作用させることが可能となる。
【００５４】
更に、機能設定部３２は、キーの接触圧力に応じてオートリピート機能におけるキー入力速度を変更するので、ユーザはキーを押す力を調節することで、容易にキー入力の速さを調整することが可能となる。これにより、利便性をより高めることができる。
【００５５】
なお、本実施形態では、メインディスプレイ８とサブディスプレイ１０の２つのディスプレイを備えている場合について例示したが、この例に限定されず、ディスプレイは１つであってもよい。すなわち、必ずしも２つ以上のディスプレイを備えている必要はない。
【００５６】
また、本実施形態における、キーボード５やタッチパッド６の機能や配置も一例であり、他の態様とされていてもよい。
【００５７】
以上、本発明についての各形態について説明したが、本発明の技術的範囲は上記態様の範囲には限定されない。発明の要旨を逸脱しない範囲で多様な組み合わせ、変更、又は改良を加えることができ、該組み合わせ、変更、又は改良を加えた形態も本発明の技術的範囲に含まれる。
【符号の説明】
【００５８】
１    ：ノートＰＣ
２    ：第１筐体
３    ：第２筐体
４    ：入力装置
５    ：キーボード
６    ：タッチパッド
８    ：メインディスプレイ
９ａ  ：連結部
９ｂ  ：連結部
１０  ：サブディスプレイ
１１  ：収容部
１２  ：モード切替ボタン
１４  ：ナムロックキー
１６  ：感圧センサ
１８  ：バックライト
２０  ：ＣＰＵ
２１  ：ＲＯＭ
２２  ：メモリ
２３  ：フラッシュメモリ
２４  ：グラフィクスアダプタ
２５  ：通信デバイス
２６  ：電源回路
２８  ：バス
３１  ：モード切替部
３２  ：機能設定部
３３  ：バックライト制御部
【図１】
2020140228.tif 000003
【図２】
2020140228.tif 000004
【図３】
2020140228.tif 000005
【図４】
2020140228.tif 000006
【図５】
2020140228.tif 000007
【図６】
2020140228.tif 000008